(57)【要約】      （修正有）【課題】内視鏡の先端部に設けられた観察窓へのあらゆる方向からの接触を防止することができる内視鏡を提供する。【解決手段】本発明の内視鏡は、挿入部の先端面を構成する第１面２０と、第１面２０から前方側に突出した突出部２２に形成された第２面２３と、第２面２３に設けられた観察窓３０と、を有し、第１面２０には、流体噴出用ノズル２８と、第１保護突起６２と、第２保護突起６４とを有し、突出部２２には観察窓３０から流体噴出用ノズル２８とは反対側に向かって延出する延出部３２と、を有する。流体噴出用ノズル２８と第１保護突起６２と、第２保護突起６４と、延出部３２とのうち、少なくとも２つに前方側から接触可能な仮想平面のすべての組み合わせにおいて、仮想平面が観察窓３０より前方側に配置される。【選択図】図２
2019058203.tif 000002
【特許請求の範囲】
【請求項１】
被検体内に挿入される挿入部と、
前記挿入部の先端面を構成する第１面と、
前記第１面から前方側に突出した突出部に形成された第２面と、
前記第２面に設けられ、被検体内を観察するための観察窓と、
前記第１面に設けられ、前記観察窓に向けて流体を噴出するノズルと、
前記第１面に設けられ、前記観察窓の中心と前記ノズルの中心とを結ぶ仮想直線の一方側に配置された第１保護突起と、
前記第１面に設けられ、前記仮想直線の他方側に配置された第２保護突起と、
前記突出部に設けられ、前記観察窓から前記ノズルとは反対側に向かって延出する延出部と、を備え、
前記ノズルと、前記第１保護突起と、前記第２保護突起と、前記延出部とのうち少なくとも２つに前方側から接触可能な仮想平面のすべての組み合わせにおいて、前記仮想平面が前記観察窓よりも前方側に配置される、
内視鏡。
【請求項２】
前記第１保護突起及び前記第２保護突起は、前記観察窓よりも前方側に突出して設けられている、
請求項１に記載の内視鏡。
【請求項３】
前記ノズルは、前記第１保護突起及び前記第２保護突起よりも前方側に突出して設けられている、
請求項１又は２に記載の内視鏡。
【請求項４】
前記観察窓は、前記延出部よりも前方側に突出して設けられる、
請求項１から３のいずれか１項に記載の内視鏡。
【請求項５】
前記第１面に設けられ、前記観察窓と前記第１保護突起との間に配置された第１照明窓と、
前記第１面に設けられ、前記観察窓と前記第２保護突起との間に配置された第２照明窓と、
を備える、請求項１から４のいずれか１項に記載の内視鏡。
【請求項６】
前記第１保護突起及び前記第２保護突起の少なくとも一方の保護突起は、前記仮想直線に対して同じ側に配置された照明窓に隣接した位置に配置される、
請求項５に記載の内視鏡。
【請求項７】
前記第１保護突起及び前記第２保護突起は、前記第１面の外縁部に沿って設けられている、
請求項１から６のいずれか１項に記載の内視鏡。
【請求項８】
前記第１保護突起及び前記第２保護突起は、内視鏡観察範囲外に配置される、
請求項１から７のいずれか１項に記載の内視鏡。
【請求項９】
前記第１保護突起及び前記第２保護突起は、前記観察窓の視野範囲外に配置される、
請求項８に記載の内視鏡。
【請求項１０】
前記延出部は、内視鏡観察範囲外に配置される、
請求項１から９のいずれか１項に記載の内視鏡。
【請求項１１】
前記延出部は、前記観察窓の視野範囲外に配置される、
請求項１０に記載の内視鏡。
【発明の詳細な説明】
【技術分野】
【０００１】
本発明は内視鏡に係り、特に挿入部の先端部における観察窓の保護の向上を図る内視鏡に関する。
【背景技術】
【０００２】
例えば、胃内視鏡等の上部内視鏡においては、挿入部の細径化が求められている。このような内視鏡の挿入部の先端部における先端面には、被観察部位からの被写体光を取り込む観察窓や、被観察部位に照明光を出射する照明窓が配置される。また、先端面には、観察窓に付着した体液等の付着物を除去するために観察窓に向けて洗浄液（水等）や気体（空気等）の流体を噴射する流体噴出用ノズル（送気送水ノズル）が配置される。
【０００３】
内視鏡の先端面が、準備作業時において作業台の天板、検査時に術者が把持した際の床面、ハンガに掛けた際の床面、洗浄及び消毒の際のシンク及び洗浄機の槽等（以下、「被接触部材」ともいう）に接触した場合、観察窓及び照明窓が、上記の天板、床面及び槽に接触することで破損する虞がある。特に、観察窓（対物レンズ）が凸形状の場合は、接触する可能性が高くなる。
【０００４】
観察窓のレンズ部分への接触を防止し、耐衝撃性を向上させた内視鏡として、例えば、下記の特許文献１には、送気送水用ノズルに設けられた第１の接触先端部と、観察窓及び照明手段の少なくとも一方以外に設けられた第２の接触端部と、が形成された内視鏡が記載されている。
【先行技術文献】
【特許文献】
【０００５】
【特許文献１】特開２００５−１９２６３８号公報
【発明の概要】
【発明が解決しようとする課題】
【０００６】
しかしながら、特許文献１に記載の内視鏡は、第１の接触先端部と、第２の接触先端部とで、被接触部材との接触を防止するようになっているが、第１の接触端部及び第２の接触端部を結ぶ直線状から横にずれた場合、天面や床等の被接触部材が観察窓に接触する場合があった。
【０００７】
本発明は、このような事情に鑑みてなされたもので、あらゆる方向からの接触に対しても観察窓への接触を防止することができる内視鏡を提供することを目的とする。
【課題を解決するための手段】
【０００８】
本発明の目的を達成するために、本発明に係る内視鏡は、被検体内に挿入される挿入部と、挿入部の先端面を構成する第１面と、第１面から前方側に突出した突出部に形成された第２面と、第２面に設けられ、被検体内を観察するための観察窓と、第１面に設けられ、観察窓に向けて流体を噴出するノズルと、第１面に設けられ、観察窓の中心とノズルの中心とを結ぶ仮想直線の一方側に配置された第１保護突起と、第１面に設けられ、仮想直線の他方側に配置された第２保護突起と、突出部に設けられ、観察窓からノズルとは反対側に向かって延出する延出部と、を備え、ノズルと、第１保護突起と、第２保護突起と、延出部とのうち少なくとも２つに前方側から接触可能な仮想平面のすべての組み合わせにおいて、仮想平面が観察窓よりも前方側に配置される。
【０００９】
本発明の一形態は、第１保護突起及び第２保護突起は、観察窓よりも前方側に突出して設けられていることが好ましい。
【００１０】
本発明の一形態は、ノズルは、第１保護突起及び第２保護突起よりも前方側に突出して設けられていることが好ましい。
【００１１】
本発明の一形態は、観察窓は、延出部よりも前方側に突出して設けられることが好ましい。
【００１２】
本発明の一形態は、第１面に設けられ、観察窓と第１保護突起との間に配置された第１照明窓と、第１面に設けられ、観察窓と第２保護突起との間に配置された第２照明窓と、を備えることが好ましい。
【００１３】
本発明の一形態は、第１保護突起及び第２保護突起の少なくとも一方の保護突起は、仮想直線に対して同じ側に配置された照明窓に隣接した位置に配置されることが好ましい。
【００１４】
本発明の一形態は、第１保護突起及び第２保護突起は、第１面の外縁部に沿って設けられていることが好ましい。
【００１５】
本発明の一形態は、第１保護突起及び第２保護突起は、内視鏡観察範囲外に配置されることが好ましい。
【００１６】
本発明の一形態は、第１保護突起及び第２保護突起は、観察窓の視野範囲外に配置されることが好ましい。
【００１７】
本発明の一形態は、延出部は、内視鏡観察範囲外に配置されることが好ましい。
【００１８】
本発明の一形態は、延出部は、観察窓の視野範囲外に配置されることが好ましい。
【発明の効果】
【００１９】
本発明によれば、ノズルと、観察窓からノズルとは反対側に向かって延出する延出部と、観察窓の中心とノズルの中心を結ぶ仮想直線の両側に第１保護突起及び第２保護突起とを有する。ノズル、延出部、第１保護突起及び第２保護突起により、被接触部材が観察窓に接触することを防止できる。したがって、被接触部材から観察窓の保護を図ることができる。
【図面の簡単な説明】
【００２０】
【図１】本発明が適用される内視鏡の全体図
【図２】内視鏡の先端面の斜視図
【図３】内視鏡の先端面の平面図
【図４】図３の先端面の４−４矢視図
【図５】図３の先端面のＡ方向から見た側面図
【図６】図３の先端面のＢ方向から見た側面図
【図７】先端面に接触する仮想平面の例を説明する図
【図８】先端面に接触する仮想平面の他の例を説明する図
【図９】先端面に接触する仮想平面の更に他の例を説明する図
【図１０】図８の先端面の１０−１０断面矢視図
【図１１】仮想平面が前方側に配置される条件を説明する図
【発明を実施するための形態】
【００２１】
以下、添付図面に従って本発明に係る内視鏡の好ましい実施形態について詳説する。
【００２２】
図１は、本発明の実施形態に係る内視鏡１を示した構成図である。同図における内視鏡１は、患者体内に挿入される挿入部２と、挿入部２の基端に連設され、内視鏡１の把持及び挿入部２の操作等に用いられる操作部３と、内視鏡１を不図示の光源装置やプロセッサ装置等のシステム構成機器に接続するユニバーサルコード４とを備える。なお、本実施形態の内視鏡１は、胃内視鏡である。
【００２３】
挿入部２は、先端と基端と長手軸とを有し、基端から先端に向かって順に連設される軟性部５、湾曲部６、及び先端部７から構成される。軟性部５は、可撓性を有し、挿入部２の挿入経路に沿って任意の方向に湾曲する。湾曲部６は、操作部３のアングルノブ８、９の各々の操作により上下と左右の各々の方向に湾曲する。先端部７は、体内の観察部位を撮影する観察部や被観察部位に照明光を照射する照明部などを備える。
【００２４】
図２は、先端部７を拡大して示した斜視図であり、図３は、平面図である。図２及び図３に示すように先端部７には、挿入部２の軸線である長手軸に対して略垂直な平面に沿った先端面を構成する第１面２０が設けられる。第１面２０には、第１面２０から前方側に突出した突出部２２を有し、突出部２２に第２面２３が形成される。第１面２０には、第１照明窓２４、第２照明窓２５、処置具導出口２６及び流体噴出用ノズル２８等を有する。また、第２面２３には、被検体内を観察する観察窓３０を有する。なお、以下において単に「長手軸」という場合には挿入部２の長手軸を示す。また、「前方側」とは、挿入部２の長手軸の先端側をいい、内視鏡１を患者に挿入した際の患部側をいう。
【００２５】
観察窓３０は、被観察部位の画像を取得する観察部の構成要素であり、被観察部位からの被写体光を観察部の他の構成要素である光学系（結像レンズ等）及び撮像手段に取り込む。この観察部により撮影された画像は観察画像（内視鏡画像）としてユニバーサルコード４により接続されたプロセッサ装置に送られる。
【００２６】
第１照明窓２４及び第２照明窓２５は、先端部７に搭載される照明部の構成要素であり、照明部の他の構成要素である光出射部から出射された照明光を被観察部位に照射する。この光出射部から出射される照明光は、ユニバーサルコード４により接続された光源装置から内視鏡１の内部を挿通するライトガイドを通じて伝搬される。
【００２７】
処置具導出口２６は、挿入部２内を挿通する処置具挿通チャンネルを通じて操作部３の処置具導入口１２（図１参照）に連通しており、処置具導入口１２から挿入された処置具が導出される。
【００２８】
また、処置具挿通チャンネルには吸引チャンネルが連結しており、操作部３の吸引ボタン１１（図１参照）の操作により処置具導出口２６からの吸引が行われる。
【００２９】
流体噴出用ノズル２８は、流体を噴出する開口部である噴出口２９が観察窓３０に向けて配置され、観察窓３０の表面３０Ｓ及びその周辺部に洗浄液又は気体を噴射する。
【００３０】
流体噴出用ノズル２８は、内視鏡１の内部を挿通する送気送水チャンネルに連通しており、ユニバーサルコード４に接続された不図示の送気送水装置にその送気送水チャンネルを介して接続される。
【００３１】
そして、操作部３の送気送水ボタン１０（図１参照）に形成されたリーク孔が指で閉鎖されると、送気送水装置からの気体が流体噴出用ノズル２８から噴出し、リーク孔を閉鎖した指で送気送水ボタン１０が押下されると、送気送水装置からの洗浄液が流体噴出用ノズル２８から噴出する。
【００３２】
なお、観察窓３０の洗浄の手順としては、例えば、流体噴出用ノズル２８から洗浄液を噴射して観察窓３０に付着した血液や体液等の付着物を除去した後、流体噴出用ノズル２８から気体を噴射して観察窓３０又はその隣接した領域に残留した洗浄液を除去する。
【００３３】
突出部２２には、観察窓３０から流体噴出用ノズル２８とは反対側に向かって延出する延出部３２を有する。延出部３２は、第２面２３から長手軸の垂直方向に平行に伸びて設けられており、延出部３２の表面は第２面２３と面一に形成される。
【００３４】
図３に示すように、先端部７の先端面は、挿入部２の長手軸に略垂直な第１面２０と、第１面２０から前方側に突出した突出部２２に形成された第２面２３とから構成される。先端面は、長手軸との交差位置を中心Ｃ（以下、先端面の中心Ｃという）とする円形状の平坦面を基調にして形成される。
【００３５】
そして、第１面２０には、第１照明窓２４と、第２照明窓２５と、先端部本体４０に形成された開口である処置具導出口２６と、流体噴出用ノズル２８と、第１保護突起６２と、第２保護突起６４が配置される。第２面２３には観察窓３０が配置される。
【００３６】
図３に示すように、各部の平面的な配置関係としては、観察窓３０の表面３０Ｓは、先端面の中心Ｃに対して先端面の周縁に偏倚した位置に配置される。流体噴出用ノズル２８は、噴出口２９が観察窓３０側を向くように配置される。また、第１照明窓２４及び第２照明窓２５は、観察窓３０を挟んで略反対となる位置に配置される。処置具導出口２６は、観察窓３０、流体噴出用ノズル２８、第１照明窓２４及び第２照明窓２５が配置されていない残りスペースに配置される。第１保護突起６２及び第２保護突起６４は、第１面２０の外縁部に配置される。具体的には、観察窓３０の中心と流体噴出ノズル２８との中心を結ぶ仮想直線６６の一方側（図３においては第１照明窓２４側）に第１保護突起６２が配置され、他方側（図３においては第２照明窓２５側）に第２保護突起６４が配置される。
【００３７】
観察窓３０の表面３０Ｓは、例えば、前方側に向かって突出した凸面とすることができ、突出部２２に形成された開口５０に配置される。
【００３８】
また、観察窓３０の表面３０Ｓの周縁と開口５０の周縁と間の隙間から先端部７の内部に連通する空間には接着剤５２(図４参照）が充填されており、その接着剤５２の表面５２Ｓ(図４参照）が観察窓３０の表面３０Ｓの周縁と開口５０の周縁との間に配置される。
【００３９】
第１照明窓２４の表面２４Ｓ及び第２照明窓２５の表面２５Ｓの各々は、例えば、平坦面により形成され、挿入部２の長手軸と垂直に配置されるとともに、先端部本体４０に形成された開口５４、５６の各々に配置される。
【００４０】
また、第１照明窓２４の表面２４Ｓの周縁と開口５４の周縁との間、及び、第２照明窓２５の表面２５Ｓの周縁と開口５６の周縁との間には、上述の観察窓３０の表面３０Ｓの周縁と開口５０の周縁との間の接着剤５２の表面５２Ｓと同様に、各々、接着剤の表面５８Ｓ、６０Ｓが配置され、第１照明窓２４の表面２４Ｓ及び第２照明窓２５の表面２５Ｓと面一に配置される。
【００４１】
図４は、図３の４−４矢視断面図である。先端部７は、金属等の硬質材料により形成され、先端部７に配置される各種部品を保持する先端部本体４０を有する。
【００４２】
なお、同図には、先端部本体４０に保持される部品として、観察部を構成する観察窓３０及び結像レンズを収容した鏡胴４４と、流体噴出用ノズル２８に接続される送気送水チャンネル４６の端部とが示されている。観察窓３０（及び結像レンズ）の光軸は、本実施の形態では挿入部２の長手軸と略平行する。
【００４３】
流体噴出用ノズル２８は、図４のように送気送水チャンネル４６の端部に接続される基端部分２８Ａから噴出口２９が形成される先端部分２８Ｂまでの形状がＬ字状を有しており、流体噴出用ノズル２８の先端部分２８Ｂが先端部本体４０に形成された開口６１から挿入部２の長手軸方向の先端側に突出して配置される。
【００４４】
また、流体噴出用ノズル２８の噴出口２９が観察窓３０の方向に向けて配置される。噴出口２９は、流体噴出用ノズル２８の管路の軸線に略垂直な長方形の開口（平面）であり、第１面２０を挿入部２の長手軸方向から正面視したときに、その噴出口２９の中心を通る噴射軸が観察窓３０の表面３０Ｓの略中心に向くように配置される（図３参照）。
【００４５】
なお、流体噴出用ノズル２８の外壁面と開口６１の周縁との隙間は接着剤などの封止部材により封止固定されている。
【００４６】
本実施形態では、上述した構成に加え、さらに、先端面の第１面２０は、観察窓３０への被接触部材の接触を防止するため、第１保護突起６２、及び、第２保護突起６４を備える。第１保護突起６２は、観察窓３０の中心と流体噴出用ノズル２８の中心とを結ぶ仮想直線６６の一方側で、第１照明窓２４の観察窓３０と反対側に配置される。また、第２保護突起６４は、仮想直線６６の他方側で、第２照明窓２５の観察窓３０と反対側に配置される。すなわち、第１照明窓２４は、観察窓３０と第１保護突起６２との間に配置され、第２照明窓２５は、観察窓３０と第２保護突起６４との間に配置される。
【００４７】
図２及び図３に示す先端面においては、第１保護突起６２は、第１照明窓２４に隣接した位置で、第１面２０の外縁部に沿って設けられている。また、第１保護突起６２は、第１照明窓２４の外周に沿って、切り欠かれた形状で配置されている。上部内視鏡においては、内視鏡を挿入する際の患者への負担を軽減するために、挿入部の細径化もしくは小型化が求められている。したがって、先端面に配置される部材の位置が制限されるため、第１照明窓２４と第１面２０の外縁部との間にスペースを十分に確保できない場合がある。本実施形態では、切り欠かれた形状とすることにより、先端部を大型化することなく、第１保護突起６２を配置することができる。
【００４８】
第１保護突起６２及び第２保護突起６４は、前方側に向かって突出しているため、内視鏡１の挿入部２を被検体内に挿入した際に、体腔内を損傷しないようにするため、第１保護突起６２及び第２保護突起６４は、面方向に厚みを設け、先端を曲面に形成することが好ましい。
【００４９】
また、第１保護突起６２及び第２保護突起６４の第１面２０に沿った長さ方向（挿入部２の長手軸に垂直方向）の長さを長くすることで、第１保護突起６２及び第２保護突起６４の前方側の面積を大きくすることができる。第１保護突起６２及び第２保護突起６４の前方側の面積を大きくすることで、患部への接触面積を大きくすることができ、内視鏡を挿入した際に患部にかかる力を分散させることができる。
【００５０】
なお、図２及び図３においては、第１保護突起６２が、第１照明窓２４に沿って配置されているが、第２保護突起６４を第２照明窓２５に沿って配置してもよい。
【００５１】
延出部３２は、突出部２２において、観察窓３０から流体噴出用ノズル２８の反対側に向かって延出して設けられている。延出部３２は、先端面の前方側からの被接触部材の接触に対し、流体噴出用ノズル２８、第１保護突起６２及び第２保護突起６４の少なくとも１つと組み合わせることで、被接触部材が観察窓３０に接触することを防止することができる。
【００５２】
次に、図５及び図６を参照し、第１保護突起６２及び第２保護突起６４の高さについて説明する。図５は、図３におけるＡ矢視図であり、図６は、図３におけるＢ矢視図である。
【００５３】
図５に、先端面の高さにおいて、第２面２３（突出部２２）の位置を基準位置とした時の、観察窓３０の表面３０Ｓの頂点までの高さをＨ１、第１保護突起６２及び第２保護突起６４までの高さをＨ２、流体噴出ノズル２８までの高さをＨ３として示す。ここで、「高さ」とは、第２面２３を基準面としたときの各部（観察窓３０の表面３０Ｓ、第１保護突起６２、第２保護突起６４及び流体噴出ノズル２８）における基準面までの距離（挿入部２の長手軸方向の距離）をいう。図５に示すように、第１保護突起６２及び第２保護突起６４の高さＨ２は、観察窓３０の表面３０Ｓの高さＨ１よりも前方側に高く設けられており、前方側に突出している。また、流体噴出用ノズル２８の高さＨ３が、第１保護突起６２及び第２保護突起６４の高さＨ２より前方側に高く設けられており、流体噴出ノズル２８は、第１保護突起６２及び第２保護突起６４より前方側に突出して設けられている。また、観察窓３０の表面３０Ｓは、延出部３２より前方側に配置されている。
【００５４】
また、延出部３２と観察窓３０の高さの関係は、観察窓３０が延出部３２よりも高い位置（前方側）に配置される。これは、流体噴出ノズル２８から観察窓３０に向けて噴射された洗浄液を除去し易くするためである。
【００５５】
流体噴出ノズル２８は、第１保護突起６２及び第２保護突起６４より前方側に配置されることが好ましい。観察窓３０は、延出部３２より前方側に設けられるので、流体噴出ノズル２８の前方側の高さを高くすることで、流体噴出ノズル２８と延出部３２とが被接触部材と接触した際に、被接触部材の位置を観察窓３０の前方側に配置することができるので、被接触部材の観察窓３０への接触を防止することができる。
【００５６】
同様に、第１保護突起６２及び第２保護突起６４は、観察窓３０より前方側に突出して設けられている。第１保護突起６２及び第２保護突起６４を観察窓３０より前方側に突出して設けることで、第１保護突起６２及び第２保護突起６４が被接触部材と接触し、観察窓３０への接触を防止することができる。
【００５７】
なお、図５及び図６においては、第１保護突起６２及び第２保護突起６４の前方側を第１面２０と平行な面で形成しているが、第１保護突起６２及び第２保護突起６４の前方側の面を、延出部３２側に向かって斜めに形成してもよい。このような構成とすることで、被接触部材が、延出部３２と第１保護突起６２及び第２保護突起６４に接触する場合において、第１保護突起６２及び第２保護突起６４に線状または面状に接触させることができる。
【００５８】
本実施形態においては、第１面２０に形成され、観察窓３０の前方側に向かって突出して設けられた流体噴出用ノズル２８、第１保護突起６２、第２保護突起６４、及び、突出部２２から延出して設けられた延出部３２のうち、少なくとも２つに前方側から接触可能な仮想平面のすべての組み合わせにおいて、仮想平面が、観察窓３０より前方側に配置されるように、各部材の高さと位置が設定されている。図７から図９を参照し、仮想平面と接触する先端面の位置について説明する。
【００５９】
図７から図９に示す各条件における、流体噴出用ノズル２８、第１保護突起６２、第２保護突起６４及び延出部３２に接触する仮想平面７０を観察窓３０より前方側に配置することで、前方側から接触する被接触部材が観察窓３０に接触することを防止できる。第１の条件として、図７は、流体噴出用ノズル２８（図中Ｅの点）、第１保護突起６２（図中Ｆの点）、及び、第２保護突起６４（図中Ｇの点）の３点に仮想平面７０が接触する状態を示す図である。第２の条件として、図８は、流体噴出用ノズル２８、第２保護突起６４、及び、延出部３２（図中Ｈの点）の３点に仮想平面７０が接触する状態を示す図である。第３の条件として、図９は、流体噴出用ノズル２８、第１保護突起６２、及び、延出部３２の３点に仮想平面７０が接触する状態を示す図である。
【００６０】
第１の条件、第２の条件及び第３の条件のすべてを満たすように、流体噴出用ノズル２６、第１保護突起６２、第２保護突起６４及び延出部３２の位置及び高さが定められている。具体的には、（１）第１保護突起６２及び第２保護突起６４の少なくともいずれか一つの高さを変える、（２）流体噴出用ノズル２８の高さを変更する、（３）延出部の長さを変える、ことにより行うことができる。また、これらに限らず、各部材の平面的な位置関係（距離）を変えてもよい。ただし、本実施形態の内視鏡は、上部内視鏡であり、先端部の小型化の要求を考慮すると、上記（１）第１保護突起６２及び第２保護突起６４、もしくは、（２）流体噴出用ノズル２６の高さを変更する態様が好ましい。
【００６１】
なお、観察窓３０の表面３０Ｓを、先端面から基端側に下げて、仮想平面７０との接触を防止するように調整してもよい。
【００６２】
また、第１照明窓２４及び第２照明窓２５は、第１保護突起６２及び第２保護突起６４に隣接して設けられているため、観察窓３０より低い第１面２０に設けられている第１照明窓２４及び第２照明窓２５も、仮想平面７０と接触することを防止できる。
【００６３】
図１０は、図８における先端部の１０−１０断面矢視図であり、観察窓３０と仮想平面７０の位置関係を示す。延出部３２を設け、延出部３２と流体噴出用ノズル２８とが接触する仮想平面７０と、で隙間Ｓを設けることができる。この隙間Ｓを設けることで、被接触部材（仮想平面７０）と観察窓３０との接触を防止することができる。したがって、前方側から接触する被接触部材に対して、観察窓３０が被接触部材と接触することがないので、観察窓３０の破損を防止することができる。また、上述したように、観察窓３０は、接着剤により先端部本体４０と接合されている。観察窓３０の被接触部材との接触を防止することで、接触による観察窓３０の剥離を防止することができる。
【００６４】
図１１は、上記の第１の条件から第３の条件を満たす具体的な条件を説明する図である。
【００６５】
第１面２０を基準面（ｂ）とした時、例えば、第２面２３が形成される突出部２２の高さは基準面（ｂ）から０．２±０．０２（突出部基準面：ｃ）（ｃｍ）とする。また、流体噴出用ノズル２８の高さは、基準面（ｂ）から０．８４（ｃｍ）、第１保護突起６２及び第２保護突起６４の高さは突出部基準面（ｃ）からｃ+０．２２±０．０２（ｃｍ）とする。また、観察窓３０の凸部の頂点をｃ＋０．１５（＋０．０２〜−０．０５）（ｃｍ）とする。
【００６６】
前方側から接触する仮想平面を想定し、仮想平面が流体噴出ノズル２８と延出部３２に接触する場合、仮想平面は延出部３２に向かって傾斜するため、観察窓３０のエリアＱに最も接近する。また、観察窓３０からの距離は、第２保護突起６４が、第１保護突起６２より離れて配置されているため、第２保護突起６４に仮想平面が接触する場合、すなわち、図１１において、ポイントａの３点で接触する場合が、仮想平面と観察窓３０とが最も接触する条件（上記の第２の条件）となる。したがって、第２の条件において、仮想平面が観察窓３０より前方側に配置されていれば、第１の条件及び第３の条件においても、仮想平面が観察窓３０より前方側に配置されると考えられる。
【００６７】
第２の条件での仮想平面で計算を行うと、前方側からの仮想平面に対して、観察窓３０と仮想平面とで隙間０．０７（＋０．０７〜−０．０４）（ｃｍ）を確保することができる。すなわち、最も狭くなる位置においても０．００３（ｃｍ）を確保することができ、観察窓３０に前方からの被接触部材が接触しないことが確認できる。
【００６８】
なお、図７から図９においては、仮想平面７０が、流体噴出油ノズル２８を含む３点と接触する仮想平面７０で説明したが、第１保護突起６２、第２保護突起６４、及び、延出部３２の３点で接触する仮想平面７０が、観察窓３０より前方側に配置する構成としてもよい。また、流体噴出油ノズル２８、第１保護突起６２、第２保護突起６４、及び、延出部３２の４点と接触する仮想平面を観察窓３０より前方側に配置する構成としてもよい。
【００６９】
このような構成とすることにより、被接触部材が先端面に接触したとしても、前方側に突出した流体噴出用ノズル２８、第１保護突起６２及び第２保護突起６４と、突出部２２から延出する延出部３２と、により、被接触部材が観察窓３０に接触することを防止することができる。また、第１照明窓２４及び第２照明窓２５は、観察窓３０より低い第１面２０に配置されているので、流体噴出用ノズル２８、第１保護突起６２、第２保護突起６４及び延出部３２により、被接触部材に接触することを防止できる。
【００７０】
ただし、第１保護突起６２及び第２保護突起６４を前方側に突出させることで、観察窓３０への被接触部材の接触を防止することができるが、前方側に突出しすぎると観察窓３０で観察される内視鏡観察視野範囲内に第１保護突起６２および第２保護突起６４の先端が映り込む場合がある。したがって、第１保護突起６２及び第２保護突起６４は、内視鏡観察視野範囲外に配置されることが好ましい。内視鏡観察視野範囲とは、プロセッサ装置に接続されたモニタ（不図示）に、観察部により撮影され観察画像を出力した際のモニタ内画像範囲のことである。さらに、第１保護突起６２及び第２保護突起６４は、観察窓３０の視野範囲外に配置することが好ましい。観察窓３０の視野範囲とは、観察部の光学系を介して取り込まれる視野範囲を意味する。
【００７１】
延出部３２についても、観察窓３０で観察される内視鏡観察視野範囲外に、延出部３２が配置されるように観察窓３０から延出部３２の外端部までの距離を設計することが好ましい。さらに、延出部３２は、観察窓３０の視野範囲外に配置されるように観察窓３０から延出部３２の外端部までの距離を設計することが好ましい。また、延出部３２の外縁部の観察窓３０からの距離を長くなると、第１面２０を前方側から見た平面視において、先端部本体４０の外縁部から突出するため、先端部の細径化の観点で好ましくない。
【符号の説明】
【００７２】
１  内視鏡
２  挿入部
３  操作部
４  ユニバーサルコード
５  軟性部
６  湾曲部
７  先端部
８、９  アングルノブ
１０  送気送水ボタン
１１  吸引ボタン
１２  処置具導入口
２０  第１面
２２  突出部
２３  第２面
２４  第１照明窓
２４Ｓ  表面
２５  第２照明窓
２５Ｓ  表面
２６  処置具導出口
２８  流体噴出用ノズル
２８Ａ  基端部分
２８Ｂ  先端部分
２９  噴出口
３０  観察窓
３０Ｓ  表面
３２  延出部
４０  先端部本体
４４  鏡胴
４６  送気送水チャンネル
５０  開口
５２  接着剤
５２Ｓ  表面
５４  開口
５６  開口
５８Ｓ  表面
６０Ｓ  表面
６１  開口
６２  第１保護突起
６４  第２保護突起
６６  仮想直線
７０  仮想平面
８０  先端部
８２  傾斜面
【図１】
2019058203.tif 000003
【図２】
2019058203.tif 000004
【図３】
2019058203.tif 000005
【図４】
2019058203.tif 000006
【図５】
2019058203.tif 000007
【図６】
2019058203.tif 000008
【図７】
2019058203.tif 000009
【図８】
2019058203.tif 000010
【図９】
2019058203.tif 000011
【図１０】
2019058203.tif 000012
【図１１】
2019058203.tif 000013